(57)【要約】【課題】  前工程の処理速度に制限を加えない直結可能な中綴じ折り装置。【解決手段】  直結した折り機からの排出紙の進行方向を変えずに、その進行方向に平行する線上を針金で綴じるようにし、また前記線上をナイフ折りするように各要部を配置して、紙を中綴じ部、ナイフ折り部と順に送るようにした。中綴じ部では紙を搬送するチェンの送り突起と、紙の先端を矯正する装置と、紙の左右を揃えるガイドレールを同時に作動するようにして、紙の４辺を揃えて綴じるようしている。ナイフ折り部も中綴じ作動と同時に作動して折り丁を排出するようにしている。従来機で必用であった９０度方向転換送出部を除くと共に搬送路の短縮で処理速度を向上した。またステッチャユニットの綴じ線とナイフによる折り線が同一線上にしてあるために、位置ずれの心配が無く使用前の調整が簡単にできるようになった。【選択図】        図２
0003124056.tif 000002
【実用新案登録請求の範囲】
【請求項１】
中綴じ後ナイフで折る中綴じ折り装置において、紙の進行方向に平行する線上に綴じの針金の線分と折り部が形成するようにした中綴じ部とナイフ折り部を備えて、中綴じ部では紙を順次間歇送りする搬送装置の停止位置の送り突起と、紙進行方向の前方を揃える矯正装置と共に、紙受け部からナイフ折り部に亘って紙揃え動作をするガイドレールが、同時に作動し紙の４辺を揃えて中綴じするようにしてあり、ナイフ折り部は前記中綴じ作動と同時に折りナイフが作動するようにした中綴じ折り装置。
【請求項２】
紙受取り部は紙の有無判定センサを備え、中綴じ部は中綴じ動作アームと作動アームの二重構造とし、前記二重構造のそれぞれのアームを共に貫通する穴を備え、前記貫通する穴にピンの入で作動、ピンの抜きで非作動に構成し,前記紙受取り部に紙無しのときは次回の中綴じを非作動にする請求項１の中綴じ折り装置。
【請求項３】
請求項１及び２に示した中綴じ折り装置より,ナイフ折り部を除いた中綴じ装置。
【考案の詳細な説明】
【技術分野】
【０００１】
本考案は一般的な製本の一形態である針金綴じ部分より二つ折りした冊子を、製作する装置に関する。
【背景技術】
【０００２】
折丁またページ組した印刷物を針金で綴じ二つ折する装置は従来から知られているが、針金綴じユニットと折り部のナイフが門形構成で、冊子製作前の調整はそれぞれ要部の横
から行うかたちであり、また中綴じ位置とナイフ折り位置のそれぞれのストッパの調整が必要になり多少の不便と、また印刷物の長辺を送るためその送路が長くなり、処理の高速化の隘路になっていたし、また装置も比較的長くなり全体の装置のレイアウトで無駄なスペースを生みやすいと言った課題も抱えていた。
【考案の開示】
【考案が解決しようとする課題】
【０００３】
本考案は冊子製作の前工程である紙折り機、また丁合機の処理能力を制限しない直結可能な中綴じ折り機で、前工程を含む装置全体のレイアウトと作業性のよい中綴じ折り機の提供を目的とする。  
【課題を解決するための手段】
【０００４】
従来型の構成と本考案の手段を図１を交えて説明する。図１は紙折り機と接続した中綴じ折り機の加工紙と、その挙動を示したもので１は紙折り機、２は従来型の中綴じ折り機を示し、３は本考案の中綴じ折り機を示している。
【０００５】
１６ページ折りの冊子を例に説明する。３は紙折り機でバックル折りされる紙を現し、４は同じく紙折り機のナイフで折られることを示している。５は紙受け取り部に排出した紙であり８ページである。
【０００６】
従来型の中綴じ折り機２の挙動を説明する。５は紙受け取り部の８ページであり、紙の長辺方向に９０度進路を変えられ送る部分で、６の中綴じ部で針金綴じされる。次の７はナイフ折り部の紙で、７の破線は折りナイフの位置を示し１６ページに仕上げられ８に排出される。
【０００７】
次に本考案の中綴じ折り機３で説明する。５は紙受け取り部の８ページであり、そのまま紙の短辺方向に送り９の中綴じ部で針金綴じする。次の１０はナイフ折り部の紙で、破線は折りナイフの位置を示し１６ページに仕上げられ１１に排出する。
【考案の効果】
【０００８】
本考案は前述の課題を解決するための手段でその差異を説明したように、前工程である紙折り機等からの排出紙の搬送方向の９０度転換部を除き、方向を変えることなく搬送しているので、９０度転換送出部の不要にとどまらず、処理及び送路の最短化による処理能力の向上の他、ガイドレールと平行的に針金綴じ部の針及び、ナイフ折り部の折ナイフを設けているのでガイドレールを紙サイズに合せるだけで、針金綴じとナイフ折り部のずれの心配なく簡単に調整できると言った効果を奏する。
【実施例】
【０００９】
本考案の実施例を図２によって説明する。１５は紙受け取り部、１６は中綴じ部、１７はナイフ折り部を示している。側板１８は図示していない対面する他方と共に、紙受け取り部からナイフ折り部まで図示しない台板に取り付けてある。板１９と板２０は逆Ｌ字状であり側板１８に取り付けてある。板２１は側板１８の間を連結する形で取り付けてありフレームを構成している。
【００１０】
軸２２には凸部２３を備え、スプロケット２４とスプロケット２５は凸部２３にかん合する凸穴にしてあり、軸２２の回転をスプロケット２４とスプロケット２５に伝達するようにしてある。軸２２は一対の側板１８間に回転自在に取り付けてある。軸２６は一対の側板１８間に固着してありスプロケット２７と図示しないスプロケット２８は回転自在に軸２６に取り付けてある。
【００１１】
スプロケット２４とスプロケット２５またスプロケット２７とスプロケット２８のそれぞれの側面には、図示しない挟み板がスプロケットを回転自在に取り付けてある。図示していない調整軸は側板１８間に取り付けてあり、調整軸には略中央から左右に逆ねじを備えていて、それぞれのめねじ金具に前記の挟み板を固着し調整軸を回転することで、スプロケット２４とスプロケット２５、スプロケット２７とスプロケット２８の間隔を広くまた狭く調節可能にしてある。
【００１２】
チエン２９はスプロケット２４とスプロケット２７の間に張設してある。チエン３０はスプロケット２５と図示しないスプロケット２８の間に張設してある。ストッパＳはチエンに取り付けた金具で、紙受け取り部１５に飛び込む紙の先端を止めるものである。（なお紙受け取り部に飛び込む紙が小さい等の理由からストッパＳに達しないようなときは後記する矯正装置を紙受け取り部に備えてもよい）送り突起Ｆは、チエンに取り付けた金具で紙の後端を押して送るものであり、チエン２９及び３０に複数取り付けてあることは言うまでもない。        
【００１３】
軸３１及び軸３２は側板１８間に回転自在に取り付けてあり、両軸共に図示しないスプロケットが取り付けてあってチエンが張設してある。軸３１及び軸３２は略中央から左右に逆ねじを備えていて、めねじ金具３３が取り付けてある。エアシリンダ３４は、めねじ金具３３のそれぞれに取り付けてあり、ガイドレール３５はエアシリンダ３４の可動部に取り付けてある。軸３１を回転することによってガイドレール３５の間隔を広くまた狭く調整できるようになる。図示していないエアコンプレッサの空圧によって、両ガイドレール３５が同時にその間隔を狭める、また広げる方向に作動するようにしてある。
【００１４】
板３６はステッチャユニットの取り付け板で、板１９と板２０の間に固着してあり、ステッチャユニット３７の位置が選べるようにしてある。ステッチャユニットの針金リール及び針金導入部等は図示していない。板３８はステッチャユニットの綴じ動作板で板３９は作動板、図示しない板４０で略コの字状を構成している。軸４１は板１９と板２０の間に固着してあり、板３９と板４０を回転自在に取り付けてある。板４２は動作板で軸４１で回転自在にしてあり、板３９と板４２は共に図示しない貫通する穴を備え、貫通する穴にエアシリンダ４３の作動軸が出入り可能なように板４２にエアシリンダ４３を取り付けてある。
【００１５】
板４４は板１９および板２０に取り付け、軸４５で連結してありばね４６を板３９に架けてあり絶えず板３８を吊り上げるように作用している。板４７は板４２に回転自在に取り付けてあって後述するカムによって上下動するようになり、ステッチャユニット３７の作動板として作用する。
【００１６】
クリンチャ４８は針金綴じ部のつぶし金具でステッチャユニットの位置に合せて取り付けるようにしてあり、後述するカムによってステッチャユニットの作動に合せて上昇下降するようにしてある。
【００１７】
エアシリンダ４９は板５０に取り付けてあり、板５０は左右への位置調節自在に板５１に取り付けてあって板５１は板２０に固着してある。矯正板５２はヒンジ部で回転自在に板５０に取り付けてあり、エアシリンダ４９の作動軸とリンクで回転自在に取り付けてある。エアシリンダ４９の作動で矯正板５２は、垂直状態から紙進行方向へ略９０度作動するようにしてあり矯正装置を構成している。
【００１８】
折りローラ５３は一対をなしギヤ５４で互いに反対方向へ回転自在に板２０及び板２１に取り付けてある。折りローラ間を折り丁が通過するための厚み吸収軸受けにしてあることは言うまでもない。板５５は板５６と図示しない板５７でコの字状を構成し、軸５８は板２１に取り付け、図示しない板５７は図示しない軸５９によって板２０にそれぞれ回転自在に取り付けてある。折ナイフ６０は板５５に取り付けてあり後述のカムによって折ナイフが上昇下降するようにしてある。
【００１９】
モータＭはクラッチブレーキを備えたモータで、減速機６１の入力軸にベルト等で動力伝達している。減速機６１の出力軸６２は分割機６３の入力軸に動力伝達され、分割機の出力軸のスプロケット６４からスプロケット６５へチエンで結ばれている。分割機６３は入力軸の連続回転が、出力軸では回転停止と続く一定回転を繰り返すもので、従ってチエン２９とチエン３０は一定区間進むと停止を繰り返すようになる。    
【００２０】
軸６６は図示しない軸受けで回転自在に取り付けてあり、自在継ぎ手等で出力軸６２に連結されている。確動カム６７はクリンチャの上下動に作用するようにしてある。確動カム６８は板４７の下端にアーム６９で回転自在に取り付けてあって、軸７０は図示しない板に固着してあり、ステッチャユニットを作動する板３８を上下動するようにしてある。
【００２１】
確動カム７１は板５５を上下動するように作用し、ナイフ折動作で上昇するようにしてある。スプロケット７２はスプロケット７３にチエンで伝達してあり、折りローラ５３を回転させる。ガイド板７４は作用の概念を示し、ナイフ折りした冊子を上方より手前側に排出する案内板である。
【００２２】
軸７６は側板１８間を連結するように取り付けてあり、軸７６の中央部にセンサ７５を取り付け、紙受け取り部１５での紙の有無を検出している。
【００２３】
本考案のセット及び一連の動作を説明する。セットボタンで両ガイドレール３５が、紙揃え位置になると共に、矯正板５２が垂直位置になる。加工するサンプル紙の左右幅に合せてガイドレールの幅をセットし、再度セットボタンを押すと搬送チェン２９と３０が、サンプル紙を中綴じ部に進める、送り突起Ｆと矯正板５２でサンプル紙の前後を揃える位置に矯正装置を合せて各部のセットを終わる。なお搬送チェンの幅位置、ステッチャユニットとクリンチャの位置等を調節することは言うまでもない。
【００２４】
紙折り機から排出された紙は、紙受け取り部に入り、その先端はストッパＳで止められる。紙折り機の排出信号でガイドレール３５が紙の左右位置を矯正すると共に、直ちにガイドレール３５が開き搬送チェンが作動し、紙はチェンの送り突起Ｆで中綴じ部に送られ停止する。と共にガイドレール３５とチェンの送り突起Ｆと矯正板５２で前後左右の位置決めと共にステッチャユニットとクリンチャが作動して針金綴じが終わる。と共に中綴じされた物は、次の折り部に前述にように送られて、紙の左右を矯正されながら上昇する折りナイフで突き上げられ折りローラ５３で二つに折られて上方に排出され一連の動作を終わる。
【００２５】
前述した一連の動作は、紙折り機から次々に入る紙によって連続的に繰り返すことと、入る紙の速度に合せて作動することは言うまでもない。またセンサ７５の紙有信号と紙折り機の排出信号がＡＮＤ回路に揃ったときは次回のステッチャユニットが作動し、信号が欠けたときは次回のエアシリンダ４３の作動軸が板３９より抜けて、板３９が可動することは無くステッチャユニットが空打ちすることはない。
【図面の簡単な説明】
【００２６】
【図１】従来機と本考案の概念図
【図２】本考案の実施例を示す斜視図である。
【符号の説明】
【００２７】
１５    紙受け取り部  
１６    中綴じ部
１７    ナイフ折り部
２９    チェン
Ｓ      ストッパ
Ｆ      送り突起
３４    エアシリンダ
３５    ガイドレール
３７    ステッチャユニット
４３    エアシリンダ
４９    エアシリンダ
５２    矯正板
６０    折ナイフ
７５    センサ
【図１】
0003124056.tif 000003
【図２】
0003124056.tif 000004